(57)【要約】【課題】本発明は、大型化することなく、簡単な構造で安定したドラグ力の調節、維持を可能とした魚釣用リ−ルのドラグ装置を提供することを目的とする。【解決手段】リール本体１に設けたスプール軸１７に釣糸の繰り出しで回転するスプール１５を回転可能に支持し、スプール１５とスプール軸１７との間に介在された制動部材２１をスプール軸１７に螺合した調節体２３の回転操作で押圧することでスプール１５の回転方向の摩擦結合力を調節可能とした魚釣用リールのドラグ装置２５において、スプール軸１７に対する調節体２３の回転方向に所定の抵抗力を付与する抵抗力付与部材３１を、スプール軸１７と調節体２３との間に設けたことを特徴とする。【選択図】        図３
2007259706.tif 000002
【特許請求の範囲】
【請求項１】
リール本体に設けた支軸に釣糸の繰り出しで回転する回転体を回転可能に支持し、該回転体と前記支軸との間に介在された制動部材を前記支軸に螺合した調節体の回転操作で押圧することで前記回転体の回転方向の摩擦結合力を調節可能とした魚釣用リールのドラグ装置において、前記支軸に対する前記調節体の回転方向に所定の抵抗力を付与する抵抗力付与部材を、前記支軸と前記調節体との間に設けたことを特徴とする魚釣用リールのドラグ装置。
【発明の詳細な説明】
【技術分野】
【０００１】
本発明は、釣糸が巻回されるスプールの回転方向に制動力を付与するドラグ装置を備えた魚釣用リ−ルに関する。
【背景技術】
【０００２】
魚釣用リールをスピニングリールで説明すると、特許文献１で見られるように、スプール軸の前部に回転自在に支持されたスプールは、複数の制動部材を介してスプール軸に摩擦結合するように構成され、スプール軸の先端部に回転可能に螺合されたドラグノブの基部で制動部材の押圧力を加減することにより、スプール軸に対するスプールの回転方向の摩擦結合力を調節するドラグ装置を構成している。
【特許文献１】実開昭６３−１１６０７１号公報
【発明の開示】
【発明が解決しようとする課題】
【０００３】
実釣時において、魚がヒットした場合には、スプールが高速回転して釣糸が急激に引き出されることになるが、スプールがスプール軸に対して高速回転する際に制動部材とドラグノブには振動が発生する。釣人は事前にスプールのドラグ力（回転方向の摩擦結合力）を、釣法、魚種及び使用釣糸等を考慮してドラグノブを回転操作し、制動部材を押圧して適当な値に予め設定する。しかしながら、釣糸の引き出しに伴うスプール高速回転で発生する振動の影響により、ドラグノブが緩む方向に回転してしまい、そのために制動部材の押圧力が低下してドラグ力が弱くなってしまう不具合が発生し、ドラグを駆使した魚とのファイティングを確実に行うことが難しく、釣果に影響を来す。又、バネ部材や係合ピン及び凹凸部材から構成されるクリック機構を設けてドラグノブの回転方向に強弱の節度を付与するものが知られているが、部品点数が多くなって構造が複雑化すると共に、クリック機構を設けるスペースも必要であることより、小型化できないと共に高価になってしまう、等の問題がある。
【０００４】
本発明は、上記問題を解決するためになされたものであり、大型化することなく、簡単な構造で安定したドラグ力の調節、維持を可能とした魚釣用リ−ルのドラグ装置を提供することを目的とする。
【課題を解決するための手段】
【０００５】
上記した目的を達成するために、本発明は、リール本体に設けた支軸に釣糸の繰り出しで回転する回転体を回転可能に支持し、該回転体と前記支軸との間に介在された制動部材を前記支軸に螺合した調節体の回転操作で押圧することで前記回転体の回転方向の摩擦結合力を調節可能とした魚釣用リールのドラグ装置において、前記支軸に対する前記調節体の回転方向に所定の抵抗力を付与する抵抗力付与部材を、前記支軸と前記調節体との間に設けたことを特徴とする。
【発明の効果】
【０００６】
本発明によれば、調節体の回転方向に所定の抵抗力を付与して緩み止め構造を構成する抵抗力付与部材を、支軸と調節体との間の限られた小スペース内に設ける構造としたので、小型化及び簡素化を図りながら、安定したドラグ力の調節、維持を可能とした魚釣用リ−ルのドラグ装置が提供できる。
【発明を実施するための最良の形態】
【０００７】
以下、本発明の一実施形態について、添付図面の図１〜図４を参照して説明する。
リール本体１には、ハンドル軸３が回転自在に支持されており、ハンドル軸３の端部には巻き取り操作を行うハンドル５が取り付けられている。ハンドル軸３には、巻き取り駆動機構を構成する駆動歯車７が一体的に設けられ、この駆動歯車７には、ロータ９を一端部に固定した回転軸筒１１の他端部に形成したピニオン１３が噛合している。
【０００８】
ロータ９の基部に対向して突設した一対の支持アーム９ａの先端部には、図示しないが公知の釣糸案内部（ラインローラ、ベール支持部材、ベール等）が設けられており、ハンドル５を回転操作することにより、駆動歯車７、ピニオン１３、ロータ９及び公知の釣糸案内部を介してスプール１５（回転体）に釣糸が巻回される。
【０００９】
リール本体１の内部には、ハンドル軸３の回転に連動してスプール軸１７（支軸）を前後方向の往復動に変換する公知のオシレート機構１９が設けられている。スプール軸１７は回転軸筒１１内に嵌挿支持され、オシレート機構１９に後端部が固定されて前後往復動される。
【００１０】
スプール軸１７の前部に回転自在に支持されるスプール１５の前方側には、凹部１５ａが形成され、この凹部１５ａ内に複数の制動部材２１（スプール軸１７に回り止め嵌合する制動部材、スプール１５と一体回転する制動部材、ライニング材等）が積層されて、スプール軸１７に対するスプール１５の回転方向に摩擦力が付与される。
【００１１】
スプール軸１７の先端部１７ａに形成した雄ネジ部１７ｂには、操作部２３ａを前部に突設した調節体２３の内部に装着した後述するナット２８が進退可能に螺合されている。調節体２３を回転操作すると、調節体２３に内装されたナット２８が軸方向に進退して制動部材２１を押圧する押圧力が加減され、スプール軸１７に対するスプール１５の回転方向の摩擦結合力（ドラグ力）を増減するドラグ装置２５を構成している。
【００１２】
調節体２３の底部には、制動部材２１を押圧する押圧部２６がネジ２７で一体的に取り付け固定され、回転操作される調節体２３は操作部２３ａと押圧部２６とで構成されている。調節体２３の内部に形成した凹部の内周には、スプール軸１７の雄ネジ部１７ｂに螺合するナット２８が軸方向移動可能に回り止め嵌合されており、又、ナット２８と押圧部２６との間には圧縮コイルバネ２９が介在されている。
調節体２３を回転操作すると、ナット２８が軸方向に移動して圧縮コイルバネ２９のバネ力が変化し、調節体２３の押圧体２６が制動部材２１を押圧する押圧力が加減されて、スプール１５の摩擦結合力が調節される。
【００１３】
次に、本発明に係わるドラグ装置２５を構成する調節体２３の緩み止め構造について説明する。
圧縮コイルバネ２９の端部と押圧部２６の内底面２６ａとの間に、弾性を有するゴム材や軟質樹脂（エラストマー等）等からなる抵抗力付与部材３１（弾性摩擦部材）が圧接された状態で設けられ、この抵抗力付与部材３１は押圧部２６の凹部内周２６ａに回り止め嵌合されている。抵抗力付与部材３１の中心部には、スプール軸１７の外周より若干小径の貫通孔３１ａが形成されており、スプール軸１７に摩擦抵抗力が加わる程度に圧入嵌合されている。
【００１４】
このように、スプール軸１７の外周に圧入嵌合する弾性部材からなる抵抗力付与部材３１を、調節体２３に内装して一体回転するように構成したので、実釣時において魚種や釣法等を考慮して予め設定されたスプール１５の摩擦結合力、つまり、ドラグ力が釣糸の引き出しでスプール１５が高速回転して制動部材２１を介して発生した振動が押圧部２６に伝達しても、抵抗力付与部材３１による回転方向の摩擦抵抗作用によって調節体２３の不必要な緩む方向の回転が抑制されることになるため、ドラグ力の低下が防止されて設定ドラグ力が安定して維持でき、魚とのファイティングを確実に実行できる。
【００１５】
図５は、本発明の第２の実施形態を示す図であり、抵抗力付与部材３１を調節体２３の押圧部２６の貫通孔２６ｂの内周に接着等の手段で固着したものである。この実施形態においても前記第１の実施形態と同様の作用効果が得られる。
【００１６】
図６は、本発明の第３の実施形態を示す図であり、調節体２３に押圧部２６を一体形成すると共に、スプール軸１７の先端部外周に形成した周溝１７ｃに抵抗力付与部材３１を圧入固定して押圧部２６の貫通孔２６ｂの内周に圧接させたものである。この実施形態においても前記第１の実施形態と同様の作用効果が得られる。
【００１７】
抵抗力付与部材３１は、押圧部２６とスプール軸１７の何れか一方に回り止め装着されていれば良く、又、形状についても適宜変更できるものであり、何ら限定されるものではない。更に又、釣糸の引き出しで回転する回転体はスプール以外に、スプールと連動回転する連動体（歯車等）でも良い。
【産業上の利用可能性】
【００１８】
前記説明では、魚釣用リ−ルをスピニングリールで説明したが、両軸受型リ−ルや片軸リール或いは、電動リール等、他の形式の魚釣用リ−ルに実施してもよい。
【図面の簡単な説明】
【００１９】
【図１】本発明の第１の実施形態に係わる魚釣用リールの一部断面正面図である。
【図２】図１の要部拡大断面図である。
【図３】図２の主要部の拡大断面図である。
【図４】図３のＡ−Ａ断面図である。
【図５】本発明の第２の実施形態に係わる主要部の拡大断面図である。
【図６】本発明の第３の実施形態に係わる主要部の拡大断面図である。
【符号の説明】
【００２０】
１        リ−ル本体
１５      回転体（スプール）
１７      支軸（スプール軸）
２１      制動部材
２３      調節体
２５      ドラグ装置
３１      抵抗力付与部材
【図１】
2007259706.tif 000003
【図２】
2007259706.tif 000004
【図３】
2007259706.tif 000005
【図４】
2007259706.tif 000006
【図５】
2007259706.tif 000007
【図６】
2007259706.tif 000008